(57)【要約】【課題】簡易な構成でありながら波形記録開始用のトリガ条件と波形記録終了用のトリガ条件とを複数設定する。【解決手段】開始条件レジスタ６ａ，６ｂと、終了条件レジスタ６ｃ，６ｄと、開始条件レジスタ６ａ，６ｂおよび終了条件レジスタ６ｃ，６ｄに記憶されている開始条件データＤａ，Ｄｂおよび終了条件データＤｃ，Ｄｄのうちの１つを出力する選択部７と、データ記録部５と、開始トリガ信号Ｓｔｒの入力から終了トリガ信号Ｓｔｒの入力までの間の波形データＤ１をデータ記録部５に記録させるメモリ制御部４と、トリガ生成動作時において波形データＤ１と選択部７から出力されている開始条件データとを比較して開始条件が成立したときに開始トリガ信号Ｓｔｒを出力し、かつ波形データＤ１と選択部７から出力されている終了条件データとを比較して終了条件が成立したときに終了トリガＳｔｒを出力するトリガ生成部３とを備えている。【選択図】図１
2007327745.tif 000002
【特許請求の範囲】
【請求項１】
複数の開始条件データを記憶する複数の開始条件レジスタと、
複数の終了条件データを記憶する複数の終了条件レジスタと、
前記複数の開始条件レジスタおよび前記複数の終了条件レジスタに記憶されている前記複数の開始条件データおよび前記複数の終了条件データのうちの１つを選択的に出力する選択部と、
データ記録部と、
測定データを入力すると共に開始トリガ信号の入力から終了トリガ信号の入力までの間に入力した当該測定データを前記データ記録部に記録させる記録制御部と、
前記測定データを入力すると共にトリガ生成動作時において当該測定データと前記選択部から出力されている前記開始条件データとを比較して所定の開始条件が成立したときに前記開始トリガ信号を前記記録制御部に出力し、かつ当該測定データと前記選択部から前記開始条件データに代えて出力されている前記終了条件データとを比較して所定の終了条件が成立したときに前記終了トリガを前記記録制御部に出力するトリガ生成部とを備えている測定装置。
【請求項２】
前記選択部を制御して前記複数の開始条件データのうちの１つを出力させた後に前記トリガ生成部に対して前記トリガ生成動作を実行させ、かつ当該トリガ生成動作中において前記開始トリガ信号を入力したときに前記選択部を制御して前記複数の終了条件データのうちの１つを出力させるシステム制御部を備えている請求項１記載の測定装置。
【発明の詳細な説明】
【技術分野】
【０００１】
本発明は、開始条件の成立から終了条件の成立までの測定データを記録する測定装置に関するものである。
【背景技術】
【０００２】
この種の測定装置として、特開平５−９１４６１号公報に開示された測定装置（信号記録装置）が知られている。この測定装置は、電気信号をアナログ／ディジタル（以下、「Ａ／Ｄ」ともいう）変換するＡ／Ｄ変換器と、電気信号を入力すると共に所定の条件の下で第１のトリガ信号を出力する内部トリガ回路と、Ａ／Ｄ変換器からの出力（波形データ）を記録する波形メモリと、内部トリガ回路からの信号とマイクロプロセッサ回路からの信号を入力し、波形メモリの動作のタイミングを定める波形メモリ制御回路とを備えている。この測定装置では、Ａ／Ｄ変換器が電気信号をディジタルの波形データに変換し、電気信号が所定のトリガ条件に該当したときに内部トリガ回路が第１のトリガ信号を出力し、波形メモリ制御回路が第１のトリガ信号とマイクロプロセッサ回路からの信号とに基づいて波形メモリの動作タイミングを定めて、波形メモリに波形データを記録させている。
【特許文献１】特開平５−９１４６１号公報（第２−３頁、第１図）
【発明の開示】
【発明が解決しようとする課題】
【０００３】
ところで、トリガ条件（例えば、波形記録開始用のトリガ条件と波形記録終了用のトリガ条件）を予め複数設定しておき、この中から波形記録開始用のトリガ条件と波形記録終了用のトリガ条件とを１つずつ選択し、選択したこれらのトリガ条件に基づいて信号波形の波形データを記録させたいという要求がある。しかしながら、上記の測定装置では、内部トリガ回路に設定可能なトリガ条件は１つであり、内部トリガ回路はこの１つのトリガ条件に基づいて第１のトリガ信号を出力し、メモリ制御回路は内部トリガ回路からの第１のトリガ信号によって作動して波形メモリを制御する構成を採用している。このため、この測定装置の基本構成を利用して、波形記録開始用のトリガ条件と波形記録終了用のトリガ条件とを予め複数設定し得る測定装置を構成する場合には、トリガ条件の数だけ内部トリガ回路を用いる必要がある。また、それに伴い、内部トリガ回路と同数の波形メモリ制御回路が必要になる。このため、このようにして構成された測定装置には、装置構成が複雑化するという問題点と共に、装置コストが上昇するという問題点が存在している。
【０００４】
本発明は、かかる課題に鑑みてなされたものであり、簡易な構成でありながら波形記録開始用のトリガ条件と波形記録終了用のトリガ条件とを複数設定し得る測定装置を提供することを主目的とする。
【課題を解決するための手段】
【０００５】
上記目的を達成すべく請求項１記載の測定装置は、複数の開始条件データを記憶する複数の開始条件レジスタと、複数の終了条件データを記憶する複数の終了条件レジスタと、前記複数の開始条件レジスタおよび前記複数の終了条件レジスタに記憶されている前記複数の開始条件データおよび前記複数の終了条件データのうちの１つを選択的に出力する選択部と、データ記録部と、測定データを入力すると共に開始トリガ信号の入力から終了トリガ信号の入力までの間に入力した当該測定データを前記データ記録部に記録させる記録制御部と、前記測定データを入力すると共にトリガ生成動作時において当該測定データと前記選択部から出力されている前記開始条件データとを比較して所定の開始条件が成立したときに前記開始トリガ信号を前記記録制御部に出力し、かつ当該測定データと前記選択部から前記開始条件データに代えて出力されている前記終了条件データとを比較して所定の終了条件が成立したときに前記終了トリガを前記記録制御部に出力するトリガ生成部とを備えている。
【０００６】
請求項２記載の測定装置は、請求項１記載の測定装置において、前記選択部を制御して前記複数の開始条件データのうちの１つを出力させた後に前記トリガ生成部に対して前記トリガ生成動作を実行させ、かつ当該トリガ生成動作中において前記開始トリガ信号を入力したときに前記選択部を制御して前記複数の終了条件データのうちの１つを出力させるシステム制御部を備えている。
【発明の効果】
【０００７】
請求項１の測定装置では、開始条件レジスタと、終了条件レジスタと、各開始条件レジスタおよび各終了条件レジスタに記憶されている開始条件データおよび終了条件データのうちの１つを選択的に出力する選択部と、データ記録部と、測定データを入力すると共に開始トリガ信号の入力から終了トリガ信号の入力までの間に入力した測定データをデータ記録部に記録させる記録制御部とを備え、トリガ生成部が、トリガ生成動作時において測定データと選択部から出力されている開始条件データとを比較して開始条件が成立したときに開始トリガ信号を記録制御部に出力し、かつ開始トリガ信号の出力後において測定データと選択部から出力されている終了条件データとを比較して終了条件が成立したときに終了トリガ信号を記録制御部に出力する。したがって、この測定装置によれば、開始条件データで規定される開始条件および終了条件データで規定される終了条件について、それぞれ複数の中から１つを自由に選択できると共に、１つのトリガ生成部と１つの記録制御部とで装置を構成することができるため、装置を簡易に構成することができると共に装置コストを十分に低減することができる。
【０００８】
また、請求項２の測定装置によれば、システム制御部が、選択部を制御して複数の開始条件データのうちの１つを出力させた後にトリガ生成部に対してトリガ生成動作を実行させ、かつその後のトリガ生成部のトリガ生成動作中においてトリガ信号を入力したときに選択部を制御して複数の終了条件データのうちの１つを出力させることにより、開始条件データで規定される開始条件および終了条件データで規定される終了条件を自動的に切り替えて、開始条件の成立後から終了条件の成立までの間の測定データをデータ記録部に自動的に記録することができる。
【発明を実施するための最良の形態】
【０００９】
以下、添付図面を参照して、本発明に係る測定装置の最良の形態について説明する。
【００１０】
最初に、測定装置１の構成について、図面を参照して説明する。なお、本例では、測定装置１の一例として、電圧信号Ｓ１の波形を測定してその波形データを記録する波形データ記録装置について説明する。
【００１１】
測定装置１は、図１に示すように、Ａ／Ｄ変換部２、トリガ生成部３、メモリ制御部４、データ記録部５、トリガ条件記憶部６、選択部７、システム制御部８および操作部９を備えている。この場合、Ａ／Ｄ変換部２は、入力した電圧信号（アナログ信号）Ｓ１を所定のサンプリング周期で波形データ（本発明における測定データ）Ｄ１に変換して出力する。トリガ生成部３は、システム制御部８から動作許可信号Ｓｅを入力しているときに作動して、入力している波形データＤ１と入力した条件データＤｔｒとに基づいてトリガ生成処理を実行してトリガ信号Ｓｔｒを生成する。メモリ制御部４は、本発明における記録制御部であって、トリガ信号Ｓｔｒに基づいて、波形データＤ１を波形メモリ５に記録させるデータ記録処理を実行する。データ記録部５は、電気的に消去と再書き込みが可能な半導体メモリ（ＲＡＭやＥＥＰＲＯＭなど）で構成されている。また、データ記録部５は、本例では波形メモリとして機能して、波形データＤ１のうちの特定のデータを波形データＤ２として記録する。このため、以下では、データ記録部５を波形メモリ５ともいう。
【００１２】
トリガ条件記憶部６は、ＲＡＭなどの電気的に消去と再書き込みが可能な半導体メモリで構成されている。また、トリガ条件記憶部６は、その記憶領域が複数（本例では一例として４つ）に分割されて、そのうちの記憶領域６ａ，６ｂが本発明における開始条件レジスタとしてそれぞれ機能し（以下、「開始条件レジスタ６ａ，６ｂ」ともいう）、記憶領域６ｃ，６ｄが本発明における終了条件レジスタとしてそれぞれ機能する（以下、「終了条件レジスタ６ｃ，６ｄ」ともいう）。また、トリガ条件記憶部６は、システム制御部８から入力した複数（一例として２つ）の開始条件データＤａ，Ｄｂ（以下、「条件データＤａ，Ｄｂ」ともいう）を各開始条件レジスタ６ａ，６ｂに記憶すると共に、システム制御部８から入力した複数（一例として２つ）の終了条件データＤｃ，Ｄｄ（以下、「条件データＤｃ，Ｄｄ」ともいう）を各終了条件レジスタ６ｃ，６ｄに記憶する。また、トリガ条件記憶部６は、各条件レジスタ６ａ，６ｂ，６ｃ，６ｄに記憶している各条件データＤａ，Ｄｂ，Ｄｃ，Ｄｄを選択部７に出力する。選択部７は、一例としてマルチプレクサ（またはセレクタ）で構成されて、トリガ条件記憶部６から出力されている各条件データＤａ，Ｄｂ，Ｄｃ，Ｄｄのうちから、システム制御部８から入力したセレクト信号Ｓｓによって特定される１つを選択して条件データＤｔｒとして出力する。
【００１３】
システム制御部８は、ＣＰＵおよび内部メモリ（いずれも図示せず）で構成されて、内部メモリに予め記憶されている動作プログラムに従って作動して、トリガ条件記憶部６に対して各条件データＤａ〜Ｄｄを記憶させる条件記憶処理と、トリガ生成部３および選択部７に対する制御などを実行して電圧信号Ｓ１の波形データＤ１（具体的にはその一部の波形データＤ２）を波形メモリ５に記録させる波形測定処理を実行する。操作部９は、キーボードやタッチパネルなどで構成されて、操作内容に応じた値の各条件データＤａ〜Ｄｄをシステム制御部８に出力する。
【００１４】
次に、測定装置１の動作について図２〜図６を参照して説明する。なお、測定装置１は、測定対象体（図示せず）における電圧測定部位にプローブ（図示せず）を介して接続されているものとする。
【００１５】
まず、起動時に、システム制御部８が、図３に示す条件記憶処理を実行する。この条件記憶処理では、システム制御部８は、操作部９から入力した各条件データＤａ，Ｄｂ，Ｄｃ，Ｄｄをトリガ条件記憶部６の各条件レジスタ６ａ，６ｂ，６ｃ，６ｄに記憶させる（ステップ４１）。一方、Ａ／Ｄ変換部２は、プローブを介して入力している電圧信号Ｓ１に対するサンプリングと、サンプリングによって変換された波形データＤ１のトリガ生成部３およびメモリ制御部４への出力とを開始する。
【００１６】
次に、システム制御部８は、図４に示す波形測定処理を実行する。なお、この波形測定処理を行うに際して、システム制御部８は、トリガ生成部３に対して、図５に示すトリガ生成処理を開始させると共に、メモリ制御部４に対して、図６に示すデータ記録処理を開始させる。これにより、トリガ生成部３は、図５に示すように、動作許可信号Ｓｅの入力を検出しつつ待機する状態に移行する（ステップ６１）。また、メモリ制御部４も、図６に示すように、トリガ信号Ｓｔｒの入力を検出しつつ待機する状態に移行する（ステップ７１）。
【００１７】
この波形測定処理では、システム制御部８は、図４に示すように、まず、動作許可信号Ｓｅをトリガ生成部３に出力し（ステップ５１）、続いて、セレクト信号Ｓｓを選択部７に出力する（ステップ５２）。システム制御部８は、ステップ５２においてセレクト信号Ｓｓを出力する際には、動作プログラムに規定された順序に従い、各開始条件データＤａ，Ｄｂのうちの一方（一例として開始条件データＤａ）を最初の開始条件データとして選択するセレクト信号Ｓｓを出力する。これにより、選択部７は、開始条件データＤａを条件データＤｔｒとして出力する。その後、システム制御部８は、トリガ信号Ｓｔｒが入力されるまで待機する（ステップ５３）。
【００１８】
一方、システム制御部８が動作許可信号Ｓｅをトリガ生成部３に出力するため、トリガ生成部３は、この動作許可信号Ｓｅの入力を検出して、図５に示すステップ６１における待機状態から脱して、選択部７から出力されている条件データＤｔｒを入力し（ステップ６２）、続いて、入力している波形データＤ１と条件データＤｔｒとに基づいて、開始条件（本発明における所定の開始条件）が成立するか否かの検出を開始する（ステップ６３）。一例として、トリガ生成部３は、波形データＤ１の値が条件データＤｔｒの値以上になる、つまり、図２に示すように、波形データＤ１で示される電圧信号Ｓ１の電圧値が条件データＤｔｒで示される電圧Ｖａ以上になる開始条件が成立するか否かの検出を開始する。これにより、トリガ生成部３は、同図に示すように、電圧信号Ｓ１の電圧値が電圧Ｖａ以上になる時刻ｔ１において、開始条件が成立したことを検出してトリガ信号Ｓｔｒを開始トリガ信号として生成して、メモリ制御部４およびシステム制御部８に出力する（ステップ６４）。
【００１９】
このトリガ生成部３によるトリガ信号Ｓｔｒの出力により、メモリ制御部４は、このトリガ信号Ｓｔｒの入力を検出して、図６に示すステップ７１における待機状態から脱して、Ａ／Ｄ変換部２から出力されている波形データＤ１を入力する都度、入力した波形データＤ１を波形データＤ２として波形メモリ５に記録させる（ステップ７２）。メモリ制御部４は、次のトリガ信号Ｓｔｒの入力を検出しつつ（ステップ７３）、次のトリガ信号Ｓｔｒの入力まで、波形データＤ２の波形メモリ５への記録を繰り返し実行する。
【００２０】
また、システム制御部８は、メモリ制御部４と共にトリガ信号Ｓｔｒの入力を検出して、図４に示すステップ５３における待機状態から脱して、セレクト信号Ｓｓを選択部７に出力する（ステップ５４）。この場合、システム制御部８は、動作プログラムに規定された順序に従い、各終了条件データＤｃ，Ｄｄのうちの一方（一例として終了条件データＤｃ）を最初の終了条件データとして選択するセレクト信号Ｓｓを出力する。これにより、選択部７は、終了条件データＤｃを２番目の条件データＤｔｒとして出力する。その後、システム制御部８は、トリガ信号Ｓｔｒが入力されるまで待機する（ステップ５５）。
【００２１】
一方、トリガ生成部３は、選択部７から出力された２番目の条件データＤｔｒを入力し（ステップ６５）、続いて、入力している波形データＤ１とこの条件データＤｔｒとに基づいて、終了条件（本発明における所定の終了条件）が成立するか否かの検出を開始する（ステップ６６）。一例として、トリガ生成部３は、波形データＤ１が条件データＤｔｒ以下になる、つまり、図２に示すように、波形データＤ１で示される電圧信号Ｓ１の電圧値が条件データＤｔｒで示される電圧Ｖｃ以下になる終了条件が成立するか否かの検出を開始する。これにより、トリガ生成部３は、同図に示すように、電圧信号Ｓ１の電圧値が電圧Ｖｃ以下になる時刻ｔ２において、終了条件が成立したことを検出してトリガ信号Ｓｔｒを終了トリガ信号として生成して、メモリ制御部４およびシステム制御部８に出力し（ステップ６７）、トリガ生成処理を終了する。
【００２２】
メモリ制御部４は、このトリガ生成部３からトリガ信号Ｓｔｒを入力して、図６に示すステップ７３において、トリガ信号Ｓｔｒの入力を検出してデータ記録処理を終了する。このようにして、メモリ制御部４がデータ記録処理を実行することにより、図２に示す時刻ｔ１から時刻ｔ２まで（波形記録期間Ｔａ）の波形データＤ１が波形データＤ２として波形メモリ５に記録される。
【００２３】
また、システム制御部８は、メモリ制御部４と共にトリガ信号Ｓｔｒの入力を検出して、図４に示すステップ５５における待機状態から脱して、トリガ生成部３に対する動作許可信号Ｓｅの出力を停止する（ステップ５６）。これにより、１回目の波形測定処理が完了する。
【００２４】
引き続き、システム制御部８は、トリガ生成部３に対してトリガ生成処理を開始させると共に、メモリ制御部４に対してデータ記録処理を開始させた後、上記の各ステップ５１〜５６を繰り返して波形測定処理を実行する。なお、２回目の波形測定処理において、システム制御部８は、ステップ５２においてセレクト信号Ｓｓを選択部７に出力する際に、動作プログラムに規定された順序に従い、各開始条件データＤａ，Ｄｂのうちの他方（開始条件データＤｂ）を開始条件データとして選択するセレクト信号Ｓｓを出力する。また、システム制御部８は、ステップ５４においてセレクト信号Ｓｓを選択部７に出力する際に、動作プログラムに規定された順序に従い、各終了条件データＤｃ，Ｄｄのうちの他方（終了条件データＤｄ）を終了条件データとして選択するセレクト信号Ｓｓを出力する。これにより、選択部７は、開始条件データＤｂを条件データＤｔｒとして出力した後に、終了条件データＤｄを条件データＤｔｒとして出力する。なお、この動作以外は、システム制御部８は、上記した１回目の波形測定処理と同様に動作して、２回目の波形測定処理を実行する。また、トリガ生成部３およびメモリ制御部４は、上記した１回目の波形測定処理と同様に動作して、２回目の波形測定処理を実行する。
【００２５】
この場合、まず、選択部７が開始条件データＤｂを条件データＤｔｒとして出力するため、波形データＤ１で示される電圧信号Ｓ１の電圧値がこの条件データＤｔｒで示される電圧Ｖｂ以上になる開始条件が成立する時刻ｔ３からメモリ制御部４が波形データＤ２の波形メモリ５への記録を開始し、その後に、選択部７が終了条件データＤｄを条件データＤｔｒとして出力するため、波形データＤ１で示される電圧信号Ｓ１の電圧値がこの条件データＤｔｒで示される電圧Ｖｄ以下になる終了条件が成立する時刻ｔ４において、メモリ制御部４が波形データＤ２の波形メモリ５への記録を終了する。これにより、波形メモリ５には、図２に示す時刻ｔ３から時刻ｔ４まで（波形記録期間Ｔｂ）の波形データＤ１が波形データＤ２として波形メモリ５に記録される。したがって、波形メモリ５には、波形記録期間Ｔａおよび波形記録期間Ｔｂにおける波形データＤ１が波形データＤ２として記録される。
【００２６】
このように、この測定装置１では、開始条件データＤａ，Ｄｂを記憶する開始条件レジスタ６ａ，６ｂと、終了条件データＤｃ，Ｄｄを記憶する終了条件レジスタ６ｃ，６ｄと、各開始条件レジスタ６ａ，６ｂおよび各終了条件レジスタ６ｃ，６ｄに記憶されている開始条件データＤａ，Ｄｂおよび終了条件データＤｃ，Ｄｄのうちの１つを選択的に出力する選択部７と、波形データＤ１を入力すると共にトリガ信号Ｓｔｒ（開始トリガ信号）の入力から次のトリガ信号Ｓｔｒ（終了トリガ信号）の入力までの間に入力した波形データＤ１を波形メモリ５に記録させるメモリ制御部４とを備え、トリガ生成部３が、トリガ生成動作時において波形データＤ１と選択部７から出力されている開始条件データＤａ，Ｄｂのうちの１つとを比較して開始条件が成立したときにトリガ信号Ｓｔｒをメモリ制御部４に出力し、かつこのトリガ信号Ｓｔｒの出力後において波形データＤ１と選択部７から出力されている終了条件データＤｃ，Ｄｄのうちの１つとを比較して終了条件が成立したときに次のトリガ信号Ｓｔｒをメモリ制御部４に出力する。したがって、この測定装置１によれば、開始条件データＤａ，Ｄｂで規定される開始条件および終了条件データＤｃ，Ｄｄで規定される終了条件について、それぞれ複数の中から１つを自由に選択できると共に、１つのトリガ生成部３と１つのメモリ制御部４とで装置を構成することができるため、装置を簡易に構成することができると共に装置コストを十分に低減することができる。
【００２７】
また、この測定装置１によれば、システム制御部８が、選択部７を制御して複数の開始条件データＤａ，Ｄｂのうちの１つを出力させた後にトリガ生成部３に対してトリガ生成動作を実行させ、かつその後のトリガ生成部３のトリガ生成動作中においてトリガ信号Ｓｔｒを入力したときに選択部７を制御して複数の終了条件データＤｃ，Ｄｄのうちの１つを出力させることにより、開始条件データＤａ，Ｄｂで規定される開始条件および終了条件データＤｃ，Ｄｄで規定される終了条件を自動的に切り替えて、開始条件の成立後から終了条件の成立までの間の波形データＤ１を波形データＤ２として波形メモリ５に自動的に記録することができる。
【００２８】
なお、本発明は、上記した実施の形態に限定されない。例えば、開始条件レジスタおよび終了条件レジスタの少なくとも一方を３つ以上として、開始条件データおよび終了条件データの少なくとも一方を３つ以上として構成することができるのは勿論である。また、システム制御部８が、動作プログラムに従って選択部７を制御することにより、開始条件データＤａ，Ｄｂおよび終了条件データＤｃ，Ｄｄを順番に切り替えてトリガ生成部３に出力する構成について上記したが、これに限定されない。例えば、設定する開始条件および終了条件を指定するコマンドを操作部９からシステム制御部８に出力して、システム制御部８がこのコマンドで指定される開始条件データＤａ，Ｄｂおよび終了条件データＤｃ，Ｄｄのうちの１つを選択部７から出力させる構成を採用することもできる。この構成によれば、開始条件や終了条件を一層自由に選択することができる。
【００２９】
また、選択部７をマルチプレクサ（またはセレクタ）で構成した例について上記したが、例えば、開始条件レジスタ６ａ，６ｂおよび終了条件レジスタ６ｃ，６ｄを構成するメモリとして、出力制御が可能なメモリ（例えばＯｕｔｐｕｔ  Ｅｎａｂｌｅ端子を備えたメモリ）を使用することにより、選択部７の機能を開始条件レジスタ６ａ，６ｂおよび終了条件レジスタ６ｃ，６ｄ内に組み込むこともできる。この構成では、選択部７を独立して設ける必要がないため、装置を一層簡易に構成することができる。また、電圧信号Ｓ１の波形データＤ１を測定データの一例として記録する測定装置１について上記したが、測定データは波形データに限定されず、例えば、温度データ、湿度データ、電力データ、電流データ、電圧データなど測定対象体におけるパラメータを示す各種特性データを測定データとして記録させることもできる。また、測定データが直接入力される条件下では、Ａ／Ｄ変換部２の配設を省略して測定装置１を構成することもできる。
【図面の簡単な説明】
【００３０】
【図１】測定装置１のブロック図である。
【図２】波形データＤ１の波形測定処理を説明するための波形図である。
【図３】条件記憶処理を示すフローチャートである。
【図４】波形測定処理を示すフローチャートである。
【図５】トリガ生成処理を示すフローチャートである。
【図６】データ記録処理を示すフローチャートである。
【符号の説明】
【００３１】
１  測定装置
２  Ａ／Ｄ変換部
３  トリガ生成部
４  メモリ制御部
５  波形メモリ
６ａ，６ｂ  開始条件レジスタ
６ｃ，６ｄ  終了条件レジスタ
７  選択部
８  システム制御部
Ｄ１，Ｄ２  波形データ
Ｄａ，Ｄｂ  開始条件データ
Ｄｃ，Ｄｄ  終了条件データ
Ｓｔｒ  トリガ信号
【図１】
2007327745.tif 000003
【図２】
2007327745.tif 000004
【図３】
2007327745.tif 000005
【図４】
2007327745.tif 000006
【図５】
2007327745.tif 000007
【図６】
2007327745.tif 000008